【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
遊技機全体を制御するための各種指示を行う主制御装置と、
該主制御装置の指示により各種演出を行うサブ制御装置と、
遊技球の通過により第１乱数を取得する普通図柄始動口と、
前記第１乱数に基づいて当りとするか否かの判定を行う普通当否判定手段と、
該普通当否判定手段の判定により当りとなった場合は、当りを示す前記普通図柄を確定表示させて報知した後に普通電動役物を所定回数開閉する普通当り遊技と、
前記普通電動役物に備えられ、遊技球の通過により第２乱数を取得する特別始動口と、
前記第２乱数に基づいて特別当りとするか否かの判定を行う特別当否判定手段と、
該特別当否判定手段の判定により特別当りとなった場合は、特別当りを示す前記特別図柄を確定表示させて報知した後に、開閉動作可能な特別電動役物を所定回数開閉することを一ラウンドとして複数ラウンドにて構成される特別当り遊技と、
前記特別始動口を起因とする前記特別図柄が変動中若しくは確定表示中又は前記特別当り遊技中である場合は、前記第２乱数を所定個数に限り記憶保持する特別図柄始動保留手段と、
前記特別当り遊技の終了に基づき開始される、前記普通当り遊技時の前記普通電動役物の開放時間の延長又は開放動作の回数増加を行う開放延長機能と、
前記特別当り遊技の終了に基づき開始される、前記特別当否判定手段の当りとする確率を向上させる確率変動機能と
を備える遊技機において、
前記主制御装置は、
前記第２乱数を仮判定する仮当否判定手段を備え、
該仮当否判定手段は前記遊技球の通過に基づいて、前記特別図柄始動保留手段が前記所定個数に達していないことを条件に第２乱数を取得した時に判定を行い、
該判定結果を前記サブ制御装置に指示するための先読み指定コマンドと前記特別図柄始動保留手段が記憶保持している個数を示す保留個数指定コマンドと
を同時期に送信、若しくは１つのコマンドとして前記サブ制御装置へ送信するように構成し、
前記サブ制御装置は、
前記確率変動機能または前記開放延長機能が作動している状態において、取得した前記第２乱数にて前記特別当り遊技が行われ、且つ、該特別当り遊技が終了した後に前記確率変動機能または前記開放延長機能が作動することを要件として、
前記先読み指定コマンド若しくは前記保留個数指定コマンドと１つにされたコマンドに基づいて先読み演出を開始する
ことを特徴とする遊技機。
【請求項２】
遊技機全体を制御するための各種指示を行う主制御装置と、
該主制御装置の指示により各種演出を行うサブ制御装置と、
遊技球の通過により第１乱数を取得する普通図柄始動口と、
前記第１乱数に基づいて当りとするか否かの判定を行う普通当否判定手段と、
該普通当否判定手段の判定により当りとなった場合は、当りを示す前記普通図柄を確定表示させて報知した後に普通電動役物を所定回数開閉する普通当り遊技と、
前記普通電動役物に備えられ、遊技球の通過により第２乱数を取得する特別始動口と、
前記第２乱数に基づいて特別当りとするか否かの判定を行う特別当否判定手段と、
該特別当否判定手段の判定により特別当りとなった場合は、特別当りを示す前記特別図柄を確定表示させて報知した後に、開閉動作可能な特別電動役物を所定回数開閉することを一ラウンドとして複数ラウンドにて構成される特別当り遊技と、
前記特別始動口を起因とする前記特別図柄が変動中若しくは確定表示中又は前記特別当り遊技中である場合は、前記第２乱数を所定個数に限り記憶保持する特別図柄始動保留手段と、
前記特別当り遊技の終了に基づき開始される、前記普通当り遊技時の前記普通電動役物の開放時間の延長又は開放動作の回数増加を行う開放延長機能と、
前記特別当り遊技の終了に基づき開始される、前記特別当否判定手段の当りとする確率を向上させる確率変動機能と
を備える遊技機において、
前記主制御装置は、
前記第２乱数を仮判定する仮当否判定手段を備え、
該仮当否判定手段は前記遊技球の通過に基づいて、前記特別図柄始動保留手段が前記所定個数に達していないことを条件に第２乱数を取得した時に判定を行い、
該判定結果を前記サブ制御装置に指示するための先読み指定コマンドと前記特別図柄始動保留手段が記憶保持している個数を示す保留個数指定コマンドと
を同時期に送信、若しくは１つのコマンドとして前記サブ制御装置へ送信するように構成し、
前記サブ制御装置は、
前記確率変動機能または前記開放延長機能が作動することを要件として、
前記先読み指定コマンド若しくは前記保留個数指定コマンドと１つにされたコマンドに基づいて先読み演出を開始する
ことを特徴とする遊技機。
【請求項３】
遊技機全体を制御するための各種指示を行う主制御装置と、
該主制御装置の指示により各種演出を行うサブ制御装置と、
遊技球の通過により第１乱数を取得する普通図柄始動口と、
前記第１乱数に基づいて当りとするか否かの判定を行う普通当否判定手段と、
該普通当否判定手段の判定により当りとなった場合は、当りを示す前記普通図柄を確定表示させて報知した後に普通電動役物を所定回数開閉する普通当り遊技と、
前記普通電動役物に備えられ、遊技球の通過により第２乱数を取得する特別始動口と、
前記第２乱数に基づいて特別当りとするか否かの判定を行う特別当否判定手段と、
該特別当否判定手段の判定により特別当りとなった場合は、特別当りを示す前記特別図柄を確定表示させて報知した後に、開閉動作可能な特別電動役物を所定回数開閉することを一ラウンドとして複数ラウンドにて構成される特別当り遊技と、
前記特別始動口を起因とする前記特別図柄が変動中若しくは確定表示中又は前記特別当り遊技中である場合は、前記第２乱数を所定個数に限り記憶保持する特別図柄始動保留手段と、
前記特別当り遊技の終了に基づき開始される、前記普通当り遊技時の前記普通電動役物の開放時間の延長又は開放動作の回数増加を行う開放延長機能と、
前記特別当り遊技の終了に基づき開始される、前記特別当否判定手段の当りとする確率を向上させる確率変動機能と
を備える遊技機において、
前記主制御装置は、
前記第２乱数を仮判定する仮当否判定手段を備え、
該仮当否判定手段は前記遊技球の通過に基づいて、前記特別図柄始動保留手段が前記所定個数に達していないことを条件に第２乱数を取得した時に判定を行い、
該判定結果を前記サブ制御装置に指示するための先読み指定コマンドと前記特別図柄始動保留手段が記憶保持している個数を示す保留個数指定コマンドと
を同時期に送信、若しくは１つのコマンドとして前記サブ制御装置へ送信するように構成し、
前記サブ制御装置は、
前記先読み指定コマンド若しくは前記保留個数指定コマンドと１つにされたコマンドに基づいて先読み演出を開始し、
該先読み演出は、前記確率変動機能または前記開放延長機能が作動している状態において、取得した前記第２乱数にて前記特別当り遊技が行われ、且つ、該特別当り遊技が終了した後に前記確率変動機能または前記開放延長機能が作動する連続大当り状態の継続数に応じて演出内容を変更していく
ことを特徴とする遊技機。
【手続補正２】
【補正対象書類名】明細書
【補正対象項目名】０００６
【補正方法】変更
【補正の内容】
【０００６】
上記課題を解決するための請求項１記載の遊技機は、遊技機全体を制御するための各種指示を行う主制御装置と、
該主制御装置の指示により各種演出を行うサブ制御装置と、
遊技球の通過により第１乱数を取得する普通図柄始動口と、
前記第１乱数に基づいて当りとするか否かの判定を行う普通当否判定手段と、
該普通当否判定手段の判定により当りとなった場合は、当りを示す前記普通図柄を確定表示させて報知した後に普通電動役物を所定回数開閉する普通当り遊技と、
前記普通電動役物に備えられ、遊技球の通過により第２乱数を取得する特別始動口と、
前記第２乱数に基づいて特別当りとするか否かの判定を行う特別当否判定手段と、
該特別当否判定手段の判定により特別当りとなった場合は、特別当りを示す前記特別図柄を確定表示させて報知した後に、開閉動作可能な特別電動役物を所定回数開閉することを一ラウンドとして複数ラウンドにて構成される特別当り遊技と、
前記特別始動口を起因とする前記特別図柄が変動中若しくは確定表示中又は前記特別当り遊技中である場合は、前記第２乱数を所定個数に限り記憶保持する特別図柄始動保留手段と、
前記特別当り遊技の終了に基づき開始される、前記普通当り遊技時の前記普通電動役物の開放時間の延長又は開放動作の回数増加を行う開放延長機能と、
前記特別当り遊技の終了に基づき開始される、前記特別当否判定手段の当りとする確率を向上させる確率変動機能と
を備える遊技機において、
前記主制御装置は、
前記第２乱数を仮判定する仮当否判定手段を備え、
該仮当否判定手段は前記遊技球の通過に基づいて、前記特別図柄始動保留手段が前記所定個数に達していないことを条件に第２乱数を取得した時に判定を行い、
該判定結果を前記サブ制御装置に指示するための先読み指定コマンドと前記特別図柄始動保留手段が記憶保持している個数を示す保留個数指定コマンドと
を同時期に送信、若しくは１つのコマンドとして前記サブ制御装置へ送信するように構成し、
前記サブ制御装置は、
前記確率変動機能または前記開放延長機能が作動している状態において、取得した前記第２乱数にて前記特別当り遊技が行われ、且つ、該特別当り遊技が終了した後に前記確率変動機能または前記開放延長機能が作動することを要件として、
前記先読み指定コマンド若しくは前記保留個数指定コマンドと１つにされたコマンドに基づいて先読み演出を開始する
ことを特徴とする。
【手続補正３】
【補正対象書類名】明細書
【補正対象項目名】００１０
【補正方法】変更
【補正の内容】
【００１０】
上記課題を解決するための請求項２記載の遊技機は、遊技機全体を制御するための各種指示を行う主制御装置と、
該主制御装置の指示により各種演出を行うサブ制御装置と、
遊技球の通過により第１乱数を取得する普通図柄始動口と、
前記第１乱数に基づいて当りとするか否かの判定を行う普通当否判定手段と、
該普通当否判定手段の判定により当りとなった場合は、当りを示す前記普通図柄を確定表示させて報知した後に普通電動役物を所定回数開閉する普通当り遊技と、
前記普通電動役物に備えられ、遊技球の通過により第２乱数を取得する特別始動口と、
前記第２乱数に基づいて特別当りとするか否かの判定を行う特別当否判定手段と、
該特別当否判定手段の判定により特別当りとなった場合は、特別当りを示す前記特別図柄を確定表示させて報知した後に、開閉動作可能な特別電動役物を所定回数開閉することを一ラウンドとして複数ラウンドにて構成される特別当り遊技と、
前記特別始動口を起因とする前記特別図柄が変動中若しくは確定表示中又は前記特別当り遊技中である場合は、前記第２乱数を所定個数に限り記憶保持する特別図柄始動保留手段と、
前記特別当り遊技の終了に基づき開始される、前記普通当り遊技時の前記普通電動役物の開放時間の延長又は開放動作の回数増加を行う開放延長機能と、
前記特別当り遊技の終了に基づき開始される、前記特別当否判定手段の当りとする確率を向上させる確率変動機能と
を備える遊技機において、
前記主制御装置は、
前記第２乱数を仮判定する仮当否判定手段を備え、
該仮当否判定手段は前記遊技球の通過に基づいて、前記特別図柄始動保留手段が前記所定個数に達していないことを条件に第２乱数を取得した時に判定を行い、
該判定結果を前記サブ制御装置に指示するための先読み指定コマンドと前記特別図柄始動保留手段が記憶保持している個数を示す保留個数指定コマンドと
を同時期に送信、若しくは１つのコマンドとして前記サブ制御装置へ送信するように構成し、
前記サブ制御装置は、
前記確率変動機能または前記開放延長機能が作動することを要件として、
前記先読み指定コマンド若しくは前記保留個数指定コマンドと１つにされたコマンドに基づいて先読み演出を開始する
ことを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
上記課題を解決するための請求項３記載の遊技機は、遊技機全体を制御するための各種指示を行う主制御装置と、
該主制御装置の指示により各種演出を行うサブ制御装置と、
遊技球の通過により第１乱数を取得する普通図柄始動口と、
前記第１乱数に基づいて当りとするか否かの判定を行う普通当否判定手段と、
該普通当否判定手段の判定により当りとなった場合は、当りを示す前記普通図柄を確定表示させて報知した後に普通電動役物を所定回数開閉する普通当り遊技と、
前記普通電動役物に備えられ、遊技球の通過により第２乱数を取得する特別始動口と、
前記第２乱数に基づいて特別当りとするか否かの判定を行う特別当否判定手段と、
該特別当否判定手段の判定により特別当りとなった場合は、特別当りを示す前記特別図柄を確定表示させて報知した後に、開閉動作可能な特別電動役物を所定回数開閉することを一ラウンドとして複数ラウンドにて構成される特別当り遊技と、
前記特別始動口を起因とする前記特別図柄が変動中若しくは確定表示中又は前記特別当り遊技中である場合は、前記第２乱数を所定個数に限り記憶保持する特別図柄始動保留手段と、
前記特別当り遊技の終了に基づき開始される、前記普通当り遊技時の前記普通電動役物の開放時間の延長又は開放動作の回数増加を行う開放延長機能と、
前記特別当り遊技の終了に基づき開始される、前記特別当否判定手段の当りとする確率を向上させる確率変動機能と
を備える遊技機において、
前記主制御装置は、
前記第２乱数を仮判定する仮当否判定手段を備え、
該仮当否判定手段は前記遊技球の通過に基づいて、前記特別図柄始動保留手段が前記所定個数に達していないことを条件に第２乱数を取得した時に判定を行い、
該判定結果を前記サブ制御装置に指示するための先読み指定コマンドと前記特別図柄始動保留手段が記憶保持している個数を示す保留個数指定コマンドと
を同時期に送信、若しくは１つのコマンドとして前記サブ制御装置へ送信するように構成し、
前記サブ制御装置は、
前記先読み指定コマンド若しくは前記保留個数指定コマンドと１つにされたコマンドに基づいて先読み演出を開始し、
該先読み演出は、前記確率変動機能または前記開放延長機能が作動している状態において、取得した前記第２乱数にて前記特別当り遊技が行われ、且つ、該特別当り遊技が終了した後に前記確率変動機能または前記開放延長機能が作動する連続大当り状態の継続数に応じて演出内容を変更していく
ことを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項１記載の発明によれば、連続大当り状態の発生（連チャン発生）を達成することにより新たに先読み演出が付与されるため、遊技者に単に賞球のみを付与するだけでなく、演出力も向上させて、より面白い遊技を行うことができるという特典を与えることができる。
【手続補正９】
【補正対象書類名】明細書
【補正対象項目名】００１６
【補正方法】変更
【補正の内容】
【００１６】
請求項２記載の発明によれば、変動内容に対して比較的興味が低下している開放延長機能作動中に、大当りを予告する属性の高い先読み演出を行うことにより、遊技者に新たな演出的興味を与えることができる。
【手続補正１０】
【補正対象書類名】明細書
【補正対象項目名】００１７
【補正方法】変更
【補正の内容】
【００１７】
請求項３記載の発明によれば、連チャン数に応じて、より多様な先読み演出に変更されていくため、連チャンすることにより新たな演出上の特典として与えることが可能となる。
また、遊技者は大当り時に取得できる賞球を連続して得る目的と共に、ある程度連チャンを達成した者のみが新たな予告演出を与えられるという、演出上の目的の達成も目指して遊技を行うことができ、遊技の興趣を向上させる効果がある。
【手続補正１１】
【補正対象書類名】明細書
【補正対象項目名】００１８
【補正方法】削除
【補正の内容】